(57)【要約】【課題】設置面に設置された火災感知器の近傍に遮蔽面を後付で設けることのできる火災感知器用遮蔽板を提供する。【解決手段】設置面１００に固定される火災感知器１０の周囲に配置される遮蔽面部４１を有する火災感知器用遮蔽板１２であって、設置面１００に沿う基部４０と、基部４０から立ち上がる遮蔽面部４１とを有し、基部４０は、火災感知器１０と設置面１００との間に挟まれて固定される固定部４２を有する火災感知器用遮蔽板１２である。また、固定部４２は、設置面１００に設けられ火災感知器１００が固定される取付ベース１１と設置面１００とに当接して挟まれる。【選択図】図１
2019197346.tif 000002
【特許請求の範囲】
【請求項１】
設置面に固定される火災感知器の周囲に配置される遮蔽面部を有する火災感知器用遮蔽板であって、
前記設置面に沿う基部と、該基部から立ち上がる前記遮蔽面部とを有し、
前記基部は、前記火災感知器と前記設置面との間に挟まれて固定される固定部を有することを特徴とする火災感知器用遮蔽板。
【請求項２】
前記固定部は、前記設置面に設けられ前記火災感知器が固定される取付ベースと前記設置面とに当接して挟まれることを特徴とする請求項１に記載の火災感知器用遮蔽板。
【請求項３】
前記固定部は、前記設置面に設けられ前記火災感知器が固定される取付ベースと前記火災感知器とに当接して挟まれることを特徴とする請求項１に記載の火災感知器用遮蔽板。
【請求項４】
前記固定部は、前記火災感知器と前記設置面とに当接して挟まれることを特徴とする請求項１に記載の火災感知器用遮蔽板。
【請求項５】
前記基部は、前記設置面に対して固定される設置面側固定部と、前記火災感知器を固定する感知器側固定部と、前記火災感知器と接続される配線部の固定部とを有することを特徴とする請求項４に記載の火災感知器用遮蔽板。
【請求項６】
前記基部は、前記火災感知器側から前記設置面に延びる配線部を挿通させる通し孔部を有し、該通し孔部は、前記設置面と平行な方向に向かって当該通し孔部を開放状とする切欠部を有することを特徴とする請求項１〜５のいずれか１項に記載の火災感知器用遮蔽板。
【請求項７】
前記基部は、前記火災感知器側から前記設置面に延びる配線部を挿通させる通し孔部を有し、該通し孔部は前記基部の一方の縁まで連続状とされることを特徴とする請求項１〜５のいずれか１項に記載の火災感知器用遮蔽板。
【請求項８】
前記遮蔽面部は、少なくとも前記設置面に固定した際に前記火災感知器を当該遮蔽面部に投影した像の外形状より大きい外形状を有することを特徴とする請求項１〜７のいずれか１項に記載の火災感知器用遮蔽板。
【発明の詳細な説明】
【技術分野】
【０００１】
本発明は、建物の天井面などの設置面に固定される火災感知器に粉塵等が侵入することを抑制する火災感知器用遮蔽板に関する。
【背景技術】
【０００２】
火災感知器は、天井等の建物の設置面に固定される。火災感知器としては、例えば、煙を検出する火災感知器や、火災による熱を検出する熱検出部を有する火災感知器、ガスを検出する火災感知器、あるいはこれらの機能を組み合わせた火災感知器などが知られている。
【０００３】
火災感知器は、設置面に固定される取付ベースに対して取付固定される。取付ベースは、設置面に対してネジ止めなどにより固定されており、設置面に当接する面と反対側の面には、火災感知器を固定するための被係合金具などが設けられる。火災感知器は、設置面側の面に取付ベースの被係合金具に対して係合する係合金具を有している。このように、設置面に固定される取付ベースに対し火災感知器が固定される構造として、例えば特許文献１に挙げるようなものがある。
【先行技術文献】
【特許文献】
【０００４】
【特許文献１】特開２００６−２８８４５９号公報
【発明の概要】
【発明が解決しようとする課題】
【０００５】
火災感知器においては、火災により生じた煙を含む気流や熱気流を火災感知器の筐体内に流入させ、一定以上の煙濃度や温度が一定の時間以上継続した場合に、火災発生と判定する。火災感知器に強風が吹き付ける場合、火災感知器の筐体に流入する気流がそのまま吹き抜け、火災を感度よく検出できないおそれがある。このため、強風が吹き付けるような場所に設置される火災感知器に対しては、風よけの必要がある。また、風よけの必要性の他、粉塵等の筐体内への侵入やこれらによる汚れの付着を避ける必要もある。例えば、煙を検出する火災感知器は、筐体内に発光部と受光部とを有しており、発光部からの光が、筐体内に取り込まれた煙によって乱反射し、受光部でその乱反射した光を受光することで、煙を検出する。発光部や受光部に汚れが付着すると、煙を検出する感度が低下することとなるので、火災感知器には、汚れ付着を検出する機能が設けられる。火災感知器は、汚れの付着が検出された場合には、障害発生を発報する。
【０００６】
空調機器の近傍や屋外廊下など、設置される場所によっては、火災感知器が一定の方向からの風に継続的に晒される場合がある。前述のような強風が吹き付ける場合だけでなく、微風であっても、継続的に晒されることで、火災感知器には粉塵等による汚れが付着しやすく、汚れ付着による障害発生の可能性が高くなる。
【０００７】
強風が一定の方向から吹き付けることが予め分かっている場合には、火災感知器の設置時において、その近傍に遮蔽板を設けておくことができる。しかし、微風による汚れの付着は、建物内に多数設置される火災感知器のうち、どれに発生するか事前には予測しにくく、また、その風向きの予測も困難である。このため、火災感知器の設置後、ある程度経過してから、汚れの付着状況などを見て遮蔽面を後付けすることが考えられる。
【０００８】
本発明は前記課題を鑑みてなされたものであり、設置面に設置された火災感知器の近傍に遮蔽面を後付で設けることのできる火災感知器用遮蔽板を提供することを目的とする。
【課題を解決するための手段】
【０００９】
前記課題を解決するため、請求項１の発明に係る火災感知器用遮蔽板は、設置面に固定される火災感知器の周囲に配置される遮蔽面部を有する火災感知器用遮蔽板であって、
前記設置面に沿う基部と、該基部から立ち上がる前記遮蔽面部とを有し、
前記基部は、前記火災感知器と前記設置面との間に挟まれて固定される固定部を有することを特徴として構成されている。
【００１０】
請求項１に係る発明によれば、基部を火災感知器と設置面との間に挟んで固定できるので、設置面に既に設置された火災感知器に対して火災感知器用遮蔽板を後付で容易に設置できる。火災感知器用遮蔽板を設置して遮蔽面部を火災感知器の側方に対向させることで、風により粉塵等が火災感知器の内部に侵入し、あるいは火災感知器の筐体に付着することを抑制することができ、粉塵等の影響による火災検出の感度低下を抑制することができる。また、遮蔽面部により、火災感知器に吹き付ける風の流速を低下させ、火災時に発生する煙や熱気流等が火災感知器内において滞留可能とすることができる。
【００１１】
また、請求項２の発明に係る火災感知器用遮蔽板は、前記固定部は、前記設置面に設けられ前記火災感知器が固定される取付ベースと前記設置面とに当接して挟まれることを特徴として構成されている。
【００１２】
請求項２に係る発明によれば、火災感知器が取付けられる取付ベースを設置面から一旦取り外して、取付ベースと設置面との間に火災感知器用遮蔽板を挿入することで、火災感知器用遮蔽板を容易に固定することができる。
【００１３】
さらに、請求項３の発明に係る火災感知器用遮蔽板は、前記固定部は、前記設置面に設けられ前記火災感知器が固定される取付ベースと前記火災感知器とに当接して挟まれることを特徴として構成されている。
【００１４】
請求項３に係る発明によれば、火災感知器を取付ベースから取り外すことで、火災感知器用遮蔽板を取付けることができ、取付ベースを設置面から取り外す必要がないようにすることができる。
【００１５】
さらにまた、請求項４の発明に係る火災感知器用遮蔽板は、前記固定部は、前記火災感知器と前記設置面とに当接して挟まれることを特徴として構成されている。
【００１６】
請求項４に係る発明によれば、火災感知器が設置面に対して直接固定される場合にも、火災感知器用遮蔽板を火災感知器と設置面とに挟んで固定することができる。
【００１７】
そして、請求項５の発明に係る火災感知器用遮蔽板は、前記基部は、前記設置面に対して固定される設置面側固定部と、前記火災感知器を固定する感知器側固定部と、前記火災感知器と接続される配線部の固定部とを有することを特徴として構成されている。
【００１８】
請求項５に係る発明によれば、火災感知器用遮蔽板に火災感知器を設置面に固定するための取付ベースの機能が一体化されているので、取付ベースに替えて火災感知器用遮蔽板を設置面に取付けることで、遮蔽面部を火災感知器に対向するように設置しつつ火災感知器を設置面に固定することができる。これにより、部品点数を削減することができ、環境負荷を低減できる。
【００１９】
また、請求項６の発明に係る火災感知器用遮蔽板は、前記基部は、前記火災感知器側から前記設置面に延びる配線部を挿通させる通し孔部を有し、該通し孔部は、前記設置面と平行な方向に向かって当該通し孔部を開放状とする切欠部を有することを特徴として構成されている。
【００２０】
請求項６に係る発明によれば、火災感知器からの配線部を取り外すことなく、火災感知器用遮蔽板を設置面と平行な方向に沿って挿入することができ、設置を容易にすることができる。
【００２１】
また、請求項７の発明に係る火災感知器用遮蔽板は、前記基部は、前記火災感知器側から前記設置面に延びる配線部を挿通させる通し孔部を有し、該通し孔部は前記基部の一方の縁まで連続状とされることを特徴として構成されている。
【００２２】
請求項７に係る発明によれば、火災感知器からの配線部を取り外すことなく、火災感知器用遮蔽板を設置面と平行な方向に沿って挿入することができ、設置を容易にすることができる。
【００２３】
さらに、請求項８の発明に係る火災感知器用遮蔽板は、前記遮蔽面部は、少なくとも前記設置面に固定した際に前記火災感知器を当該遮蔽面部に投影した像の外形状より大きい外形状を有することを特徴として構成されている。
【００２４】
請求項８に係る発明によれば、火災感知器との対向方向において、遮蔽面部が当該火災感知器を完全に隠すことができるので、火災感知器に対する粉塵の侵入を効果的に抑制することができる。
【発明の効果】
【００２５】
本発明に係る火災感知器用遮蔽板によれば、火災感知器用遮蔽板を後付で容易に設置でき、火災感知器の近傍に遮蔽面部を配置することができるので、火災感知器に向かう気流の流速を小さくし、し、火災感知器に汚れが付着することによる障害発生を抑制できる。また、火災時に発生する煙や熱気流等を火災感知器内において滞留可能とすることで、強風により火災感知器内を気流が短い時間で吹き抜けないようにし、火災感知器で確実に火災検出を行うことができる。さらに、設置後においても、火災感知用遮蔽板の取付角度を変えることで、遮蔽面部の向きを容易に変更できる。
【図面の簡単な説明】
【００２６】
【図１】本実施形態における火災感知器用遮蔽板と火災感知器及び取付ベースの設置状態における正面図である。
【図２】取付ベースの斜視図である。
【図３】火災感知器の断面図であって、筐体と端子盤及び係合金具以外の内部構造を省略した説明図である。
【図４】火災感知器用遮蔽板の斜視図である。
【図５】火災感知器用遮蔽板の底面図である。
【図６】火災感知器用遮蔽板を取付ける際の分解側面図である。
【図７】第１変形例に係る火災感知器用遮蔽板の底面図である。
【図８】第２変形例に係る火災感知器用遮蔽板の底面図である。
【図９】第２の実施形態における火災感知器用遮蔽板と火災感知器及び取付ベースの設置状態における正面図である。
【図１０】第３の実施形態における火災感知器用遮蔽板及び火災感知器の設置状態における正面図である。
【発明を実施するための形態】
【００２７】
本発明の実施形態について、図面に沿って詳細に説明する。本実施形態の火災感知器１０は、建物の天井等の設置面１００に固定され、火災によって生じた煙を検出するものである。図１には本実施形態における火災感知器用遮蔽板１２と火災感知器１０及び取付ベース１１の設置状態における正面図を示している。この図に示すように、本実施形態の火災感知器１０は、取付ベース１１を介して設置面１００に対して固定されており、また、取付ベース１１と設置面１００との間には、火災感知器用遮蔽板１２が挟まれて固定されている。
【００２８】
図２には、取付ベース１１の斜視図を示している。この図に示すように、取付ベース１１は、扁平略円筒状の本体部３０を有している。本体部３０の取付時下方を向く底面部３１には、設置面１００に向かって延びる配線部２３を挿通させるための配線用孔部３２が設けられている。また、底面部３１には、火災感知器１０を回転係合させるための被係合金具３３と、取付ベース１１を設置面１００に固定するためのネジを挿通させる固定用孔部３４とが設けられている。被係合金具３３と固定用孔部３４は、それぞれ底面部３１の周方向に２つずつ設けられている。被係合金具３３は、配線部２３と電気的に接続されている。
【００２９】
図３には、火災感知器１０の断面図であって、筐体２０と端子盤２１及び係合金具２２以外の内部構造を省略した説明図を示している。火災感知器１０は筐体２０を有し、筐体２０は設置面１００と対向する面として端子盤２１を有している。筐体２０は煙流入口２０ａを有し、筐体２０の内部には煙の検出部等が配置されるが、図３では省略している。
【００３０】
端子盤２１には、取付ベース１１の被係合金具３３に対して係合する係合金具２２が設けられている。係合金具２２は、被係合金具３３と対応して端子盤２１の周方向に２つが設けられる。係合金具２２が取付ベース１１の被係合金具３３と係合することで、火災感知器１０が取付ベース１１と電気的に接続される。
【００３１】
取付ベース１１の本体部３０や火災感知器１０の筐体２０は、プラスチック等の樹脂材で形成される。ただし、これらはそれ以外の材料で形成されていてもよい。
【００３２】
図４には火災感知器用遮蔽板１２の斜視図を、図５には火災感知器用遮蔽板１２の底面図を、それぞれ示している。火災感知器用遮蔽板１２は、設置面１００に沿う平面状の基部４０と、基部４０から立ち上がる遮蔽面部４１とを有している。基部４０は長方形状を有しており、遮蔽面部４１は、基部４０の対向する２辺からそれぞれ立ち上がっている。遮蔽面部４１は、少なくとも設置面１００に固定した際に火災感知器１０を遮蔽面部４１に投影した像の外形状より大きい外形状を有している。これにより、遮蔽面部４１が火災感知器１０を対向方向において完全に隠しており、火災感知器１０に向かう風を遮蔽面部４１によって遮断することができる。
【００３３】
基部４０の中央部には、略円形状の通し孔部４３が形成されている。基部４０には、通し孔部４３の空間部分を基部４０の縁まで連続させる切欠部４３ａが形成されている。切欠部４３ａにより通し孔部４３は、設置面１００と平行な方向に向かって開放状となっている。
【００３４】
基部４０の図５に示す底面側には、取付ベース１１の天面が当接可能となっている。取付ベース１１は、図５において一点鎖線で示されている。基部４０の通し孔部４３は、取付ベース１１の直径より小さく、通し孔部４３の周囲は、取付ベース１１と設置面１００とに当接して挟まれる固定部４２である。
【００３５】
基部４０の通し孔部４３には、火災感知器１０から設置面１００に延びる配線部２３を通しておくことができる。また、基部４０の切欠部４３ａは、火災感知器用遮蔽板１２の設置時において、火災感知器用遮蔽板１２を設置面１００と平行な方向に移動させた際に、配線部２３を挿通させることができる。
【００３６】
図１に示すように、火災感知器用遮蔽板１２の遮蔽面部４１は、火災感知器１０よりも高く、火災感知器１０の側方に離隔配置される。遮蔽面部４１は、このように配置されることで、火災感知器１０の煙流入口２０ａに向かう気流Ｒが、火災感知器１０に対して直接吹き付けないようにすることができる。気流Ｒに含まれる粉塵は、遮蔽面部４１によって下方に落下、あるいは遮蔽面部４１に付着することで、火災感知器１０に向かわないようにすることができる。これにより、筐体２０の内部に気流が侵入することによる汚れの付着を低減することができ、汚れの付着に伴う火災感知器１０の障害発生を抑制することができる。一方で、気流Ｒは遮蔽面部４１を回り込んで、少なくとも一部が火災感知器１０の方向に向かうことができる。このため、火災発生時に煙を含む気流Ｒが完全に遮断されることはなく、火災検出の性能は維持することができる。気流Ｒに遮蔽面部４１を回り込ませるため、遮蔽面部４１は、前述のように、設置面１００に固定した際に火災感知器１０を遮蔽面部４１に投影した像の外形状より大きい外形状であって、できるだけ最低限の面積を有するようにすることが望ましい。渡り廊下のように、建物の外である半屋外に火災感知器１０を設置する場合、風向は建物に沿った一定の方向であることが多い。本実施形態の遮蔽面部４１は、火災感知器１０を挟んで対向するように配置されるので、風が吹き付ける方向以外の方向からの気流を妨げることがない。例えば、火災感知器１０の周りを取り囲むように遮蔽面部を設けると、風が吹き付ける方向以外の方向からの気流に対する感度が大きく低下することになるが、本実施形態の遮蔽面部４１によれば、通常通りの火災感知性能を維持することができる。
【００３７】
また、遮蔽面部４１により、火災感知器１０に向かって強風が吹き付けることも防止することができる。大きい流速を有する気流が遮蔽面部４１に吹き付けると、その気流の流速は小さくなり、火災感知器１０の位置において気流を火災検出に必要な時間、滞留させることができる。
【００３８】
図６には、火災感知器用遮蔽板１２を取付ける際の分解側面図を示している。火災感知器用遮蔽板１２は、継続的に一方向からの気流Ｒに晒されている既設の火災感知器１０に対して設けられる。火災感知器用遮蔽板１２を取付ける際には、予め火災感知器１０を取付ベース１１から取り外し、さらに取付ベース１１を設置面１００から取り外しておく。この際、火災感知器１０から設置面１００に延びる配線部２３については、取り外す必要はない。
【００３９】
火災感知器用遮蔽板１２は、取付ベース１１と設置面１００との間に対して、設置面１００と平行な方向に沿って挿入することができる。このとき、配線部２３は、基部４０の切欠部４３ａを介して通し孔部４３に配置することができる。基部４０に切欠部４３ａ及び通し孔部４３が形成されていることで、配線部２３を外すことなく火災感知器用遮蔽板１２を側方から取付けることができる。火災感知器用遮蔽板１２は、遮蔽面部４１が気流Ｒと対向するように、取付角度が調整される。
【００４０】
配線部２３を通し孔部４３に配置して取付角度を調整したら、取付ベース１１を設置面１００に固定する。これにより、基部４０の固定部４２が取付ベース１１と設置面１００に当接して挟まれ、火災感知器用遮蔽板１２が固定される。さらに、取付ベース１１に対して火災感知器１０を固定し、図１の状態とすることができる。また、火災感知器用遮蔽板１２の設置後であっても、設置時と同様の手順により、設置場所の風向に応じて遮蔽面部４１の向きを容易に再設定することができる。このように、火災感知器要遮蔽板１２は、遮蔽面部４１の向きを容易に設定あるいは変更することができる。
【００４１】
火災感知器用遮蔽板の第１変形例について、図７に示している。この図に示すように、第１変形例に係る火災感知器用遮蔽板１３は、基部４０及び遮蔽面部４１を有している点で、図４，５に示す火災感知器用遮蔽板１２と同様である。図７の火災感知器用遮蔽板１３は、通し孔部４４が直径の幅を有して基部４０の縁まで連続状となっている。このように、取付ベース１１が当接する固定部４２が確保され、配線部２３を挿通可能となっていれば、通し孔部の形状は任意に設定することができる。
【００４２】
火災感知器用遮蔽板の第２変形例について、図８に示している。この図に示すように、第２変形例に係る火災感知器用遮蔽板１３は、基部４０及び遮蔽面部４１を有している点で、図４，５に示す火災感知器用遮蔽板１２と同様である。図８の火災感知器用遮蔽板１３は、半円形状の通し孔部４５を有しており、基部４０は遮蔽面部４１の略半分の幅を有している。この場合においても、基部４０には、取付ベース１１が当接する固定部４２が半周分、確保されている。基部４０がこのような形状を有していても、取付ベース１１と設置面１００との間に挟まれて固定することができ、また、取付ベース１１からの配線部２３を通し孔部４５に挿通させることができる。
【００４３】
次に、本発明の第２の実施形態について説明する。図９には、第２の実施形態における火災感知器用遮蔽板１５と火災感知器１０及び取付ベース１１の設置状態における正面図を示している。この図に示すように、本実施形態の火災感知器用遮蔽板１５は、基部４０の固定部４２が火災感知器１０と取付ベース１１とに当接し、挟まれて固定されている。この場合、基部４０は、取付ベース１１の被係合金具３３に係止可能な取付ベース側の固定部と、火災感知器１０の係合金具２２に係止可能な火災感知器側の固定部とを有している。このように、火災感知器１０と設置面１００との間に挟まれて固定される火災感知器用遮蔽板１５は、火災感知器１０と取付ベース１１とに当接して挟まれるようにしてもよい。これにより、火災感知器１０を取付ベース１１から取り外すことで、火災感知器用遮蔽板１５を取付けることができ、取付ベース１１を設置面１００から取り外す必要がない。
【００４４】
次に、本発明の第３の実施形態について説明する。図１０には、第３の実施形態における火災感知器用遮蔽板１６及び火災感知器１０の設置状態における正面図を示している。この図に示すように、本実施形態では、火災感知器１０は設置面１００に対して直接固定されるものであり、火災感知器用遮蔽板１６は、基部４０の固定部４２が火災感知器１０と設置面１００とに当接し、挟まれて固定されている。この場合、基部４０は、火災感知器１０の係合金具２２に係止可能な火災感知器側の固定部と、設置面１００に対して固定可能な設置面側の固定部とを有している。このように、火災感知器１０が取付ベース１１を介することなく設置面１００に直接固定される場合においても、火災感知器１０と設置面１００との間に火災感知器用遮蔽板１６を固定し、遮蔽面部４１を火災感知器１０の側方に配置することができる。また、火災感知器用遮蔽板１６が取付ベース１１と一体化されていてもよい。この場合、火災感知器用遮蔽板１６の基部４０には、設置面１００に対して固定される設置面側の固定部と、火災感知器１０を固定する感知器側の固定部と、火災感知器１０と電気的に接続される配線部２３の固定部分とが設けられる。これにより、取付ベース１１に替えて火災感知器用遮蔽板１６を設置面１００に取付けることで、遮蔽面部４１を設置しつつ火災感知器１０を設置面１００に固定することができる。
【００４５】
以上、本発明の実施形態について説明したが、本発明の適用は本実施形態には限られず、その技術的思想の範囲内において様々に適用され得る。上述の実施形態における火災感知器１０は、煙を検出するものであるが、熱を検出する火災感知器や、ガスを検出する火災感知器、あるいはこれらを複合した火災感知器など、これ以外のタイプの火災感知器に対しても、火災感知器用遮蔽板１２を取付けることができる。また、上述の火災感知器は、火災の発生を検出するが、火災発生時に音声や光を発生する報知部を有する警報器に対しても、火災感知器用遮蔽板１２を取付けることができる。
【符号の説明】
【００４６】
１０    火災感知器
１１    取付ベース
１２    火災感知器用遮蔽板
２０    筐体
２０ａ  煙流入口
２１    端子盤
２２    係合金具
２３    配線部
３０    本体部
３１    底面部
３２    配線用孔部
３３    被係合金具
３４    固定用孔部
４０    基部
４１    遮蔽面部
４２    固定部
４３    通し孔部
４３ａ  切欠部
４４    通し孔部
１００    設置面
１０１    挿通孔部
【図１】
2019197346.tif 000003
【図２】
2019197346.tif 000004
【図３】
2019197346.tif 000005
【図４】
2019197346.tif 000006
【図５】
2019197346.tif 000007
【図６】
2019197346.tif 000008
【図７】
2019197346.tif 000009
【図８】
2019197346.tif 000010
【図９】
2019197346.tif 000011
【図１０】
2019197346.tif 000012